(57)【特許請求の範囲】
【請求項１】
エンジン駆動式空気調和装置又は発電電源装置であるエンジンシステムに設けられたエンジンと、前記エンジンに設けられたオイルパンと、前記オイルパンと離間して配置されたサブタンクと、前記オイルパンと前記サブタンクとを連通させる配管と、前記配管を介して前記オイルパンと前記サブタンクとでエンジンオイルを循環させるポンプと、前記ポンプの駆動を制御するとともに前記エンジンシステムの負荷状況に応じた制御信号に基づき前記エンジンを制御するコントローラと、を備えるエンジンシステム制御装置であって、
前記コントローラは、
前記制御信号に基づき前記エンジンを制御するエンジン制御部と、
前記エンジンの回転数とトルクの関係において、前記オイルパンの油温の上昇度合いに基づいて設定された高負荷領域と、前記エンジンが停止する油圧下限値に基づいて設定された低回転領域と、前記高負荷領域及び前記低回転領域以外の領域に設定された中負荷領域の少なくとも３つの領域が記憶された領域記憶部と、
前記回転数と前記エンジンのスロットル開度に基づいて、前記エンジンの状態が前記領域のうち何れの領域に属しているかを判定する領域判定部と、
前記領域判定部が第一所定時間継続して前記高負荷領域と判定した場合に前記オイルパンの前記エンジンオイルを高油温状態と判定し、前記高油温状態と判定した状態で前記領域判定部が前記高負荷領域以外の領域と判定したことに基づき前記高油温状態の判定を解除する高油温状態判定部と、
前記高油温状態と判定された状態で、前記エンジンの状態を前記低回転領域に変化させる前記制御信号を受信した場合、前記ポンプを少なくとも第二所定時間駆動させるポンプ制御部と、
を備え、
前記エンジン制御部は、前記高油温状態と判定された状態で、前記エンジンの状態を前記低回転領域に変化させる前記制御信号を受信した場合、前記第二所定時間経過後に前記エンジンの状態を前記低回転領域に変化させるエンジンシステム制御装置。
【請求項２】
請求項１において、
前記高油温状態判定部は、前記高油温状態と判定した状態で前記領域判定部が前記中負荷領域と判定した場合において、前記領域判定部が第三所定時間継続して前記中負荷領域と判定した場合に前記高油温状態の判定を解除するエンジンシステム制御装置。
【請求項３】
請求項１又は２に記載のエンジンシステム制御装置を備えたエンジン駆動式空気調和装置又は発電電源装置であるエンジンシステム。
【発明の詳細な説明】
【技術分野】
【０００１】
本発明は、エンジン駆動式空気調和装置又は発電電源装置であるエンジンシステムの制御装置及びそれを備えたエンジンシステムに関する。
【背景技術】
【０００２】
エンジン駆動式空気調和装置は、エンジンでコンプレッサを駆動して、冷媒循環により空気調和（以下、空調とも称する）を行う装置である。また、発電電源装置は、エンジンで発電機を駆動して発電し、発電電力を負荷に供給する装置である。発電電源装置としては、例えばコージェネレーション装置や発電機を備えたエンジン駆動式空気調和装置が挙げられる。これらエンジンを備えたエンジンシステムでは、エンジンの油圧制御が行われている。エンジンにはエンジンオイルが不可欠であり、オイルパン内のエンジンオイルの油圧が所定値（油圧下限値）未満である場合にエンジンを運転すると焼き付きが生じる。このため、エンジンシステムでは、油圧が油圧下限値を下回るとエンジンを停止する制御が行われる。油圧低下によるエンジンの停止は、エンジンに設けられた油圧スイッチやエンジンを停止させる制御回路等により実行される。オイルパンの油圧は、一般に油圧スイッチによりモニターされる。
【０００３】
また、エンジンシステムでは、エンジンに設けられたオイルパンとは別にサブタンクが設けられている。サブタンクにはオイルパン同様にエンジンオイルが収容されている。サブタンクとオイルパンは、配管で接続され、ポンプにより循環可能となっている。エンジンシステムの制御装置は、オイルパンのエンジンオイルが減ったり劣化した場合に、ポンプを駆動させてエンジンオイルを循環させる。
【０００４】
エンジンオイルは、温度によって粘性が異なり、低油温時には粘性が高く、高油温時には粘性が低くなる。粘性の変化によって油圧が変化する。つまり、油温の変化に伴って油圧も変化する。油圧・油温の制御に関するものとして、例えば特開２００６−７７６９６号公報（特許文献１）に二槽式オイルパンが開示されている。
【先行技術文献】
【特許文献】
【０００５】
【特許文献１】特開２００６−７７６９６号公報
【発明の概要】
【発明が解決しようとする課題】
【０００６】
エンジンを高負荷（高回転・高トルク）で運転させると、エンジンオイルは、油温が上昇して高油温状態となる。これにより、オイルパンの油圧は低下する。その後、エンジンを低回転で運転させると、高油温状態のまま回転数だけ低下し、さらに油圧は低下する。これにより、油圧が油圧下限値を下回り、エンジンが停止してしまうおそれがある。特にエンジン駆動式空気調和装置では、空調のためのエンジン制御であり、無駄な運転を無くす等の観点から、高負荷運転から低回転運転に切り替えることが少なくない。エンジンが停止すると、空調や発電が不可となる。このため、運転切替時の油圧低下によるエンジン停止を抑制することが課題となっている。
【０００７】
また、上記二槽式オイルパンでは、複雑な構造による部品点数及び製造コストの増大が問題である。また、エンジンを長時間運転すると、二槽の油温差が小さくなり、オイル循環のメリットが小さくなる。
【０００８】
本発明は、このような事情に鑑みて為されたものであり、部品点数及び製造コストの増大を抑制しつつ、油圧低下によるエンジン停止を抑制することができるエンジンシステム制御装置及びエンジンシステムを提供することを目的とする。
【課題を解決するための手段】
【０００９】
請求項１に記載の発明は、エンジン駆動式空気調和装置又は発電電源装置であるエンジンシステムに設けられたエンジンと、前記エンジンに設けられたオイルパンと、前記オイルパンと離間して配置されたサブタンクと、前記オイルパンと前記サブタンクとを連通させる配管と、前記配管を介して前記オイルパンと前記サブタンクとでエンジンオイルを循環させるポンプと、前記ポンプの駆動を制御するとともに前記エンジンシステムの負荷状況に応じた制御信号に基づき前記エンジンを制御するコントローラと、を備えるエンジンシステム制御装置であって、前記コントローラは、前記制御信号に基づき前記エンジンを制御するエンジン制御部と、前記エンジンの回転数とトルクの関係において、前記オイルパンの油温の上昇度合いに基づいて設定された高負荷領域と、前記エンジンが停止する油圧下限値に基づいて設定された低回転領域と、前記高負荷領域及び前記低回転領域以外の領域に設定された中負荷領域の少なくとも３つの領域が記憶された領域記憶部と、前記回転数と前記エンジンのスロットル開度に基づいて、前記エンジンの状態が前記領域のうち何れの領域に属しているかを判定する領域判定部と、前記領域判定部が第一所定時間継続して前記高負荷領域と判定した場合に前記オイルパンの前記エンジンオイルを高油温状態と判定し、前記高油温状態と判定した状態で前記領域判定部が前記高負荷領域以外の領域と判定したことに基づき前記高油温状態の判定を解除する高油温状態判定部と、前記高油温状態と判定された状態で、前記エンジンの状態を前記低回転領域に変化させる前記制御信号を受信した場合、前記ポンプを少なくとも第二所定時間駆動させるポンプ制御部と、を備え、前記エンジン制御部は、前記高油温状態と判定された状態で、前記エンジンの状態を前記低回転領域に変化させる前記制御信号を受信した場合、前記第二所定時間経過後に前記エンジンの状態を前記低回転領域に変化させる。
【００１０】
請求項２に記載の発明は、請求項１において、前記高油温状態判定部は、前記高油温状態と判定した状態で前記領域判定部が前記中負荷領域と判定した場合において、前記領域判定部が第三所定時間継続して前記中負荷領域と判定した場合に前記高油温状態の判定を解除する。
【００１１】
請求項３に記載の発明は、エンジンシステムであって、請求項１又は２に記載のエンジンシステム制御装置を備えたエンジン駆動式空気調和装置又は発電電源装置である。
【発明の効果】
【００１２】
請求項１に記載の発明によれば、オイルパン内のエンジンオイルの高油温状態を回転数及びスロットル開度から検出し、高油温状態で低回転領域への運転切替信号（制御信号）を受信した場合に、ポンプを駆動してオイルパンとサブタンクでエンジンオイルを循環させ、その後低回転領域にエンジンの運転を切り替える。これにより、運転が低回転領域に切り替わる前に、高油温状態となっているオイルパン内のエンジンオイルと、オイルパンから離間され周囲の雰囲気温度であるサブタンク内のエンジンオイルとを入れ替えることができる。つまり、本発明では、エンジンオイルを外部のサブタンクと循環させることで、オイルパン内の油温を低下させ、粘度・油圧を高めた後に運転を低回転領域に切り替える。したがって、高負荷領域から低回転領域への急な運転切替に対しても、油圧が油圧下限値を下回ることを抑制し、エンジンが停止することを抑制することができる。また、本発明によれば、コントローラが高油温状態を推定するため、油圧計や複雑な構造を必要とせず、部品点数及び製造コストの増大も抑制することができる。
【００１３】
請求項２に記載の発明によれば、高油温状態と判定された状態から中負荷状態に運転切替された場合でも、すぐに高油温状態の判定を解除しない。したがって、第三所定時間内であれば、運転が中負荷状態であっても高油温状態の判定が継続され、低回転領域への運転切替の際に請求項１同様の制御が実行される。実際に油温は、運転が高負荷領域から中負荷領域に切り替えられてもすぐに低下するとは限らない。本発明によれば、より実際に即して高油温状態を判定し、より確実にエンジンの停止を抑制することができる。
【００１４】
請求項３に記載の発明によれば、請求項１又は２に記載の発明の作用効果が発揮されるエンジン駆動式空気調和装置又は発電電源装置を提供することができる。
【図面の簡単な説明】
【００１５】
【図１】実施形態のエンジンシステム制御装置及びガスヒートポンプ式空気調和装置の構成を示す概念図である。
【図２】実施形態のコントローラの構成を示す概念図である。
【図３】エンジンの回転数とトルクの関係を示す図である。
【図４】エンジンオイルの油温と油圧の関係を説明するための説明図である。
【図５】実施形態のコントローラの制御を説明するためのフローチャートである。
【図６】実施形態のコントローラの制御を説明するためのフローチャートである。
【図７】実施形態の変形態様の構成を示す概念図である。
【図８】実施形態の変形態様の構成を示す概念図である。
【発明を実施するための形態】
【００１６】
次に、実施形態を挙げ、本発明をより詳しく説明する。本実施形態では、エンジン駆動式空気調和装置の一種類であるガスヒートポンプ式空気調和装置（ＧＨＰ）１００のエンジンシステム制御装置を例示して説明する。
【００１７】
本実施形態のエンジンシステム制御装置１０は、図１に示すように、エンジン１と、オイルパン２と、サブタンク３と、配管４１、４２と、ポンプ５と、コントローラ６と、を備えている。エンジン１は、ＧＨＰ１００に設けられたガスエンジンである。エンジン１は、コンプレッサ９を駆動する。オイルパン２は、エンジン１に設けられたオイルタンクであり、内部にエンジンオイルを収容している。オイルパン２のエンジンオイルは、図示しないオイルポンプによりエンジン１に供給されている。
【００１８】
サブタンク３は、オイルパン２から離間して配置されたオイルタンクである。サブタンク３は、内部にエンジンオイルを収容している。サブタンク３は、長時間連続運転するエンジンシステムにおいて、オイルパン２へのオイル提供を目的として配置されている。配管４１、４２は、オイルパン２とサブタンク３とを連通させるための配管である。配管４１、４２の一端はオイルパン２に接続され、配管４１、４２の他端はサブタンク３に接続されている。
【００１９】
ポンプ５は、エンジンオイルを循環させるための電動オイルポンプである。ポンプ５は、配管４１に配置されている。ポンプ５は、コントローラ６の指令に基づいて駆動し、駆動することで、エンジンオイルをオイルパン２とサブタンク３の間で循環させる。
【００２０】
コントローラ６は、電子制御ユニット（ＥＣＵ）であって、制御信号に基づきエンジン１を制御するとともに、ポンプ５を制御する。制御信号は、ＧＨＰ１００における他のＥＣＵ（例えば空調を制御するＥＣＵ）から送信される信号、又はエンジン１の状態を検出するセンサ（回転数センサ及びスロットル開度センサ等）の信号に基づいてコントローラ６自身が後述するエンジン制御部６１等に送信する信号である。制御信号は、ＧＨＰ１００の負荷状況に基づく信号である。
【００２１】
コントローラ６は、機能として、図２に示すように、エンジン制御部６１と、領域記憶部６２と、領域判定部６３と、高油温状態判定部６４と、ポンプ制御部６５と、を備えている。エンジン制御部６１は、制御信号に基づいてエンジン１を制御する。具体的に、エンジン制御部６１は、受信した制御信号（運転切替信号）に基づいてエンジン１の回転数やスロットル開度等を制御する。
【００２２】
領域記憶部６２は、不揮発性メモリ等の記憶手段であって、エンジン１の回転数とトルクの関係において、３つに区分けされた領域を記憶するものである。具体的に、領域記憶部６２には、図３に示すように、高負荷領域Ａと、低回転領域Ｃと、中負荷領域Ｂが記憶されている。図３の横軸は回転数（ｍｉｎ−１又はｒｐｍ）、図３の縦軸はトルク（Ｎｍ）である。また、図３のグラフ内の線は、エンジン１のスロットル開度が同じことを示す等高線である。
【００２３】
高負荷領域Ａは、高回転・高トルクの領域であって、オイルパン１の油温の上昇度合いに基づいて設定されている。高負荷領域Ａは、油温を上昇させる領域ともいえる。低回転領域Ｃは、回転数が小さい領域であって、エンジン１が停止する油圧下限値に基づいて設定されている。油圧下限値は、予め設定された値であって、油圧が当該油圧下限値を下回るとエンジン１を停止させる制御（又は操作）が行われる値を意味する。
【００２４】
油圧と油温の関係については図４を参照できる。図４に示すように、高い回転数での運転から低い回転数での運転に切り替えられると、油温が高い状態では、油圧が油圧下限値を下回る可能性がある。図４において、低回転数を示す線と油圧下限値を示す線とが交差する点Ｄにおける油温以上が「高油温状態」といえる。油圧は、エンジン１の回転数が低下すると低下する。低回転領域Ｃは、油温が高い状態である高油温状態からの運転切替において、エンジン停止のおそれがある回転数領域に設定されている。
【００２５】
中負荷領域Ｂは、高負荷領域Ａ及び低回転領域Ｃ以外の領域である。本実施形態では、領域記憶部６２は、回転数とトルクの関係を示すマップを記憶しており、マップには上記領域（上限・下限等）が設定されている。
【００２６】
本実施形態において、領域記憶部６２には、高負荷領域Ａと中負荷領域Ｂを区画するために高負荷領域Ａの回転数の下限及びトルクの下限が記憶され、低回転領域Ｃと中負荷領域Ｂを区画するために低回転領域Ｃの回転数の上限が記憶されている。また、領域記憶部６２には、回転数とスロットル開度からトルクが推定できるように、マップに関連して回転数とスロットル開度とトルクの関係も記憶されている。
【００２７】
領域判定部６３は、エンジン１の回転数とスロットル開度に基づいて、エンジン１の状態が、領域記憶部６２に記憶された３領域Ａ、Ｂ、Ｃのうち何れの領域に属しているかを判定する。領域判定部６３は、エンジン制御部６１（あるいは各種センサ）から回転数及びスロットル開度の情報を受信する。領域判定部６３は、領域記憶部６２に記憶されたマップに基づき、回転数とスロットル開度からエンジン１の状態を判定する。領域判定部６３は、運転切替ごと又は所定時間ごと（本実施形態ではクロック信号ごと）に、回転数及びスロットル開度情報を受信し、領域記憶部６２のマップと比較してエンジン１の状態判定を実行する。
【００２８】
高油温状態判定部６４は、領域判定部６３から判定結果を受信して、オイルパン２のエンジンオイルが高油温状態であるか否かを判定するものである。具体的に、高油温状態判定部６４は、領域判定部６３が予め設定された第一所定時間Ｔ１継続して（連続して）エンジン１の状態を高負荷領域Ａと判定した場合、オイルパン２のエンジンオイルが高油温状態であると判定する。高油温状態判定部６４は、高油温状態と判定した場合、コントローラ６内に「高油温フラグ」を立てる。
【００２９】
さらに具体的には、高油温状態判定部６４は、時間をカウントするカウンタ６４１を有している。カウンタ６４１は、領域判定部６３が高負荷領域Ａと判定した場合、カウントを開始し、その後第一所定時間Ｔ１の経過前に領域判定部６３が中負荷領域Ｂ又は低回転領域Ｃと判定した場合、カウントをリセットする。高油温状態判定部６４は、カウンタ６４１のカウントした時間が第一所定時間Ｔ１以上となったら高油温フラグを立てる。
【００３０】
第一所定時間Ｔ１は、実験又はシミュレーションにより予め設定した時間であって、エンジン１の最大の高負荷運転において、エンジンオイルがサチュレートする（温度一定となる）時間に設定されている。本実施形態では、第一所定時間Ｔ１は、エンジンオイルがサチュレートする最短時間に設定されている。第一所定時間Ｔ１は、エンジンオイルがサチュレートする時間に基づいて設定されれば良い。
【００３１】
一方、高油温状態判定部６４は、高油温フラグが立っている状態で、領域判定部６３が中負荷領域Ｂ又は低回転領域Ｃと判定した場合、当該判定に基づいて高油温状態の判定を解除する（すなわち、高油温フラグを下げる）。
【００３２】
具体的に、高油温状態判定部６４は、高油温フラグが立っている状態で、領域判定部６３が中負荷領域Ｂと判定した場合には、その後領域判定部６３が予め設定された第三所定時間Ｔ３継続してエンジン１の状態を中負荷領域Ｂと判定した場合に高油圧フラグを下げる。また、高油温状態判定部６４は、高油温フラグが立っている状態で、領域判定部６３が低回転領域Ｃと判定した場合、その後高油温フラグを下げる。時間のカウントは、上記同様、カウンタ６４１が行う。
【００３３】
第三所定時間Ｔ３は、中負荷領域Ｂでの運転により油温が十分に低下する時間に設定されている。例えば第三所定時間Ｔ３は、中負荷領域Ｂでの運転において、サチュレートした油温から、図４の点Ｄにおける油温未満になるために必要な時間に設定できる。第三所定時間Ｔ３は、実験又はシミュレーション等により設定することができる。
【００３４】
ポンプ制御部６５は、制御信号や各種センサからのオイルパン２のエンジンオイルの減少・劣化信号に基づいて、ポンプ５の駆動を制御するものである。ポンプ制御部６５は、高油温フラグが立っている状態で、エンジン１の状態を低回転領域Ｃに変化させる制御信号を受信した場合、ポンプ５を第二所定時間Ｔ２駆動させる。ポンプ５は、ポンプ制御部６５からの指令により駆動し、オイルパン２とサブタンク３との間でエンジンオイルを循環させる。
【００３５】
エンジン制御部６１は、高油温フラグが立っている状態で、エンジン１の状態を低回転領域Ｃに変化させる制御信号を受信した場合、第二所定時間Ｔ２経過後にエンジン１の状態を低回転領域Ｃに変化させる。高油温状態判定部６４は、高油温フラグが立っている状態で、上記低回転領域Ｃに変化させる制御信号を受信した場合、高油温フラグを下げる。
【００３６】
第二所定時間Ｔ２は、オイルパン２とサブタンク３との間でエンジンオイルが十分に循環する時間（入れ替わる時間）に設定されている。第二所定時間Ｔ２は、オイルパン２内のエンジンオイルがサブタンク３のエンジンオイルと十分に（例えば半分以上）入れ替わるのに必要な時間ともいえる。第二所定時間Ｔ２は、実験又はシミュレーション等により設定することができる。
【００３７】
ここで、本実施形態の制御について図５及び図６を参照して説明する。図５に示すように、領域判定部６３が高負荷領域Ａと判定した場合（Ｓ１０１：Ｙｅｓ）、カウンタ６４１がカウント開始し、高油温状態判定部６４は、第一所定時間Ｔ１継続して高負荷領域Ａであるか否かを判定する（Ｓ１０２）。第一所定時間Ｔ１経過前に中負荷領域Ｂ又は低回転領域Ｃと判定された場合（Ｓ１０２：Ｎｏ）、カウンタ６４１のカウントがリセットされる（Ｓ１０３）。一方、第一所定時間Ｔ１継続して高負荷領域Ａと判定された場合（Ｓ１０２：Ｙｅｓ）、高油圧状態判定部６４は、「高油圧フラグ」を立てる（Ｓ１０４）。
【００３８】
続いて、高油温フラグが立っている状態で、エンジン制御部６１及びポンプ制御部６５が低回転領域Ｃへの運転切替信号（制御信号）を受信した場合（Ｓ１０５：Ｙｅｓ）、ポンプ制御部６５は第二所定時間Ｔ２だけポンプ５を駆動させ（Ｓ１０６）、エンジン制御部６１は第二所定時間Ｔ２後に低回転領域Ｃに運転を切り替える（Ｓ１０７）。時間の計測は、カウンタ６４１でも他の手段でも良く、高油温フラグが立っている状態でエンジン制御部６１及びポンプ制御部６５が上記制御信号を受信するとカウントが開始される。高油温状態判定部６４は、上記低回転領域Ｃへの運転切替信号（制御信号）を受信すると高油温フラグを下げる（Ｓ１０８）。
【００３９】
また、図６に示すように、高油温フラグが立っている状態で、エンジン制御部６１及び高油温状態判定部６４が中負荷領域Ｂへの運転切替信号（制御信号）を受信した場合（Ｓ２０１：Ｙｅｓ）、エンジン制御部６１は中負荷領域Ｂに運転切替を実行し、高油温状態判定部６４はカウントを開始する（Ｓ２０２）。第三所定時間Ｔ３経過する前に高負荷領域Ａへの運転切替信号（制御信号）を受信した場合（Ｓ２０２：Ｎｏ、Ｓ２０３：Ｎｏ）、第三所定時間Ｔ３に関するカウントがリセットされて高油温フラグは立った状態で維持される（Ｓ１０４）。
【００４０】
また、第三所定時間Ｔ３経過する前に低回転領域Ｃへの運転切替信号（制御信号）を受信した場合（Ｓ２０２：Ｎｏ、Ｓ２０３Ｙｅｓ）、第三所定時間Ｔ３に関するカウントがリセットされて、ポンプ５が駆動される（Ｓ１０６）。一方、第三所定時間Ｔ３継続して中負荷領域Ｂと判定された場合（Ｓ２０２：Ｙｅｓ）、高油温状態判定部６４は、カウントをリセットして高油温フラグを下げる（Ｓ２０４）。なお、カウントのリセットの有無は適宜変更可能である。ＧＨＰ１００稼働中には、上記制御が繰り返される（エンド→スタート）。
【００４１】
本実施形態のエンジンシステム制御装置１０によれば、オイルパン２の高油温状態をエンジン１の回転数及びスロットル開度から検出し、高油温状態で低回転領域Ｃへの運転切替信号（制御信号）を受信した場合に、ポンプ５を駆動してオイルパン２とサブタンク３とでエンジンオイルを循環させ、その後低回転領域Ｃにエンジン１の運転を切り替える。これにより、運転が低回転領域Ｃに切り替わる前に、高油温状態となっているオイルパン２内のエンジンオイルと、オイルパン１から離間され周囲の雰囲気温度であるサブタンク３内のエンジンオイルとを入れ替えることができる。つまり、本実施形態では、エンジンオイルをエンジン１外部のサブタンク３と循環させることで、オイルパン２内の油温を低下させ、粘度を高めて油圧の低下を抑制できる状態にした後に運転を低回転領域Ｃに切り替える。したがって、高負荷領域Ａから低回転領域Ｃへの急な運転切替に対しても、油圧が油圧下限値を下回ることを抑制し、エンジン１が停止することを抑制することができる。また、本実施形態によれば、コントローラ６が高油温状態を推測するため、油圧計や複雑な構造を必要とせず、部品点数及び製造コストの増大も抑制することができる。
【００４２】
また、本実施形態によれば、高油温状態と判定された状態から中負荷状態Ｂに運転切替された場合でも、すぐに高油温状態の判定を解除しない。したがって、第三所定時間Ｔ３内であれば、運転が中負荷状態Ｂであっても高油温状態の判定が継続され、低回転領域Ｃへの運転切替の際にポンプ５が駆動される。実際に油温は、運転が高負荷領域Ａから中負荷領域Ｂに切り替えられてもすぐに低下するとは限らない。本実施形態によれば、より実際に即して高油温状態を判定し、より確実にエンジンの停止を抑制することができる。
【００４３】
本実施形態のエンジンシステム制御装置１０は、ＧＨＰ１００の一部を構成している。つまり、ＧＨＰ１００は、図１に示すように、エンジンシステム制御装置１０と、コンプレッサ９と、冷媒循環回路９１と、を備えている。コンプレッサ９は、冷媒循環回路９１上の圧縮機を構成し、エンジン１の駆動力により駆動する。ＧＨＰは、コンプレッサ９を駆動させることで空調を実行する。ＧＨＰ１００の構成については、公知の構成であるため詳しい説明は省略する。
【００４４】
なお、本発明は、上記実施形態に限られない。例えば、配管４１，４２は、エンジン１を介してオイルパン２とサブタンク３とを連通させても良い。配管４１は、エンジン１に直接サブタンク３からのエンジンオイルを供給しても良い。
【００４５】
また、ＧＨＰ１００は、図７に示すように、さらに発電機８を備え、エンジン１の駆動力の余力により発電機８を駆動して発電する発電ＧＨＰであっても良い。また、上記実施形態では天然ガスなどのガス燃料を燃料とするガスエンジンを使用して冷媒の圧縮機を駆動するガスヒートポンプ式空気調和装置（ＧＨＰ）で説明したが、灯油などの液体燃料を燃料とするエンジンを使用して冷媒の圧縮機を駆動するエンジン駆動式空気調和装置でもよい。更に、エンジンシステム制御装置１０は、発電機を備える発電電源装置、例えばコージェネレーション装置に設けられても良い。コージェネレーション装置は、図８に示すように、エンジンシステム制御装置１０と、エンジン１の駆動力で駆動し発電する発電機８と、エンジン１の熱（例えば冷却水の熱や排気ガスの熱など）を利用して温水や水蒸気を供給する熱回路１１と、を備えている。ただし、空調は主に室温調整であるため、負荷の変動が大きく、高負荷領域Ａから低回転領域Ｃへの運転切替頻度が高い。したがって、空調機能を備えるＧＨＰ又は発電ＧＨＰのほうがコージェネレーション装置よりも、本発明の効果が顕著である。
【００４６】
また、領域記憶部６２における各領域Ａ、Ｂ、Ｃの記憶は、領域を区画する閾値のみを記憶するものでも、上記のようにマップを記憶するものでも、制御プログラムに記載された閾値であっても良い。
【００４７】
また、ポンプ制御部６５は、高油温状態で低回転領域Ｃへの運転切替信号（制御信号）を受信した場合、第二所定時間Ｔ２以上ポンプ５を駆動させても良い。例えば、第二所定時間Ｔ２がオイルパン２内のエンジンオイルを半分程度入れ替える時間に設定されていた場合、ポンプ制御部６５は、エンジン１の運転が低回転領域Ｃに切り替えられた後もポンプ５を駆動させ、オイルパン２内のエンジンオイルをほぼ入れ替えた際に停止させるよう制御しても良い（例えば第四所定時間Ｔ４（Ｔ４＞Ｔ２）後にポンプ５停止）。
【００４８】
また、高油温状態判定部６４は、高油温状態で中負荷領域Ｂへの運転切替信号（制御信号）を受信した場合、第三所定時間Ｔ３を待つことなく、高油温状態を解除（高油温フラグを下げる）しても良い。
【００４９】
また、本発明は、エンジンシステムの制御方法としても記載できる。すなわち、エンジンシステム制御方法は、
エンジン１の回転数とトルクの関係において、オイルパン２の油温の上昇度合いに基づいて設定された高負荷領域Ａと、エンジン１が停止する油圧下限値に基づいて設定された低回転領域Ｃと、高負荷領域Ａ及び低回転領域Ｃ以外の領域に設定された中負荷領域Ｂの少なくとも３つの領域を記憶する領域記憶ステップと、
エンジン１の回転数とスロットル開度に基づいて、エンジン１の状態が領域Ａ、Ｂ、Ｃのうち何れの領域に属しているかを運転切替ごとに又は所定時間ごとに判定する領域判定ステップと、
領域判定ステップで第一所定時間Ｔ１継続して高負荷領域Ａと判定された場合にオイルパン２のエンジンオイルが高油温状態であると判定し、高油温状態と判定された状態で領域判定ステップにて高負荷領域Ａ以外の領域と判定されたことに基づき高油温状態の判定を解除する高油温状態判定ステップと、
高油温状態と判定された状態で、エンジン１の状態を低回転領域Ｃに変化させる制御信号を受信した場合、ポンプ５を少なくとも第二所定時間Ｔ２駆動させるポンプ制御ステップと、
高油温状態と判定された状態で、エンジン１の状態を低回転領域に変化させる制御信号を受信した場合、第二所定時間Ｔ２経過後にエンジン１の状態を低回転領域Ｃに変化させるエンジン制御ステップと、を含んでいる。
【００５０】
また、上記方法において、高油温状態判定ステップでは、高油温状態と判定された状態で領域判定ステップにて中負荷領域Ｂと判定された場合において、領域判定ステップにて第三所定時間Ｔ３継続して中負荷領域Ｂと判定された場合に高油温状態の判定を解除しても良い。これらの制御方法によっても、本実施形態同様の効果が発揮される。
【符号の説明】
【００５１】
１０：エンジンシステム制御装置、  １００：ガスヒートポンプ式空気調和装置、
１：エンジン、  ２：オイルパン、  ３：サブタンク、  ４１、４２：配管、
５：ポンプ、  ６：コントローラ、  
６１：エンジン制御部、  ６２：領域記憶部、  ６３：領域判定部、
６４：高油温状態判定部、  ６５：ポンプ制御部、
８：発電機、  ９：コンプレッサ
【図１】
0005910872.tif 000002
【図２】
0005910872.tif 000003
【図３】
0005910872.tif 000004
【図４】
0005910872.tif 000005
【図５】
0005910872.tif 000006
【図６】
0005910872.tif 000007
【図７】
0005910872.tif 000008
【図８】
0005910872.tif 000009